(57)【要約】構造部材の一部分を受け入れ、係合するための付属品クランプ及びその方法が開示される。クランプは本体、枢支点で本体に枢着されたハンドルを含むことがあり、ハンドルは枢支点から遠位である遠位部分を含み、遠位部分は遠位内側部分から外向きに延在するカム表面を有する遠位内側部分を含む。ハンドルがロック位置の中に下方に回転されるとき、本体及びハンドルは構造部材の一部分を受け入れ、係合するように構成される受入れ領域をその中に形成し、受入れ領域において、本体は構造部材の一部分を受け入れ、係合するようにそれぞれ構成される受入れ面及び側面を含むことがある。【選択図】図１
2017502812.tif 000002
【特許請求の範囲】
【請求項１】
任意選択でフックを提供する本体と、
枢支点で前記本体に枢着されるハンドルと、
前記枢支点から遠位である遠位部分を備える前記ハンドルであって、前記遠位部分が、遠位内側部分から外向きに延在するカム表面を備える前記遠位内側部分を含む、前記ハンドルと、
を備える、構造部材の一部分を受け入れ、係合するための付属品クランプであって、
前記ハンドルがロック位置の中に下方に回転されるとき、前記本体及び前記ハンドルが、前記構造部材の前記一部分を受け入れ、係合するように構成された受入れ領域をその中に形成し、
前記受入れ領域において、前記本体が、それぞれ前記構造部材の前記一部分を受け入れ、係合するように構成された受入れ表面及び側面を備え、
前記構造部材が緊急用コット、緊急用車両、壁構造、緊急用担架、付属品バー、棚材料、またはラックの少なくとも一部を備える、
付属品クランプ。
【請求項２】
前記本体が、付属品の接続端部を受け入れるように構成された付着空間を画定し、ハンドルが突端部を提供し、前記クランプが、前記ハンドルが前記付属品の前記接続端部を解放自在に保持するために前記ロック位置にあるときに前記付着空間の中に伸長し、前記ハンドルが前記付属品の前記接続端部を解放するためにアンロック位置にあるときに前記本体の中に引っ込む、前記ハンドルに結合されたピンをさらに備える、請求項１に記載の前記付属品クランプ。
【請求項３】
前記本体が付属品の接続端部を受け入れるように構成された付着空間を画定し、前記クランプが、前記付着空間を横切って垂直にわたる固定されたピンをさらに備え、前記付属品の前記接続端部が、一方向で前記ピンに係合してそれによって解放自在に保持される鍵穴スロットを提供する、請求項１に記載の前記付属品クランプ。
【請求項４】
ハンドルがカム溝を画定し、前記クランプが、前記側面を提供し、前記ハンドルが下方に回転されるときに、前記側面が張力を受けている前記構造部材の前記一部分に係合するように、前記カム溝に移動できるように収容されるカム従動子を有する張力アームをさらに備える、請求項１に記載の前記付属品クランプ。
【請求項５】
前記付属品がＩＶポール、タブレットホルダー、ガスタンクホルダー、ハンドル、ストレッチャーエッジホルダー、高くなったプラットフォーム、拡大基部パネル、サイドパネル、及び折り畳み式サイドアームを提供する側面方向伸長部から選択される、請求項２または３に記載の前記付属品クランプ。
【請求項６】
前記クランプがＩＶポールアセンブリの部分を形成し、前記クランプの本体の付着空間の中で前記ＩＶポールアセンブリの静脈注射（ＩＶ）ポールの接続端部に結合するように構成され、前記ＩＶポールが、前記接続端部を介して前記クランプに結合されるときに、直立垂直位置及び折り曲げ位置に位置決め可能である、請求項１から４のいずれか１項に記載の前記付属品クランプ。
【請求項７】
前記クランプがタブレットを解放自在に保持するタブレットホルダーアセンブリの一部を形成し、前記クランプが前記タブレットホルダーアセンブリのホルダー本体に結合するように構成され、前記ホルダー本体が前記本体から伸長する少なくとも１つの伸長部を有し、前記少なくとも１つの伸長部が前記伸長部の前記少なくとも１つまたは複数の内面から内向きに伸長する少なくとも１つの突起を備え、これにより前記突起が前記タブレットの前記前面でパチンと閉り、前記タブレットホルダーの上に前記タブレットを保持する、請求項１から４のいずれか１項に記載の前記付属品クランプ。
【請求項８】
前記クランプがガスタンクを解放自在に保持するガスタンクホルダーの一部を形成し、前記クランプが前記ガスタンクホルダーアセンブリのガスタンクホルダーに結合するように構成され、前記ガスタンクホルダー本体がガスタンクを受け台に載せるように構成されるクレードル部分をさらに備える、請求項１から４のいずれか１項に記載の前記付属品クランプ。
【請求項９】
前記クランプがハンドルアセンブリの一部を形成し、１つまたは複数の軸の周りで前記本体に対してハンドル本体を移動できるようにする前記ハンドル本体を移動できるように結合するように構成される、請求項１から４のいずれか１項に記載の前記付属品クランプ。
【請求項１０】
前記部材が緊急用コットのサイドフレームレールであり、前記クランプがスクープストレッチャーを保持するための少なくとも１つの側面方向伸長部に結合するように構成され、前記側面方向伸長部が前記クランプの上部から及び前記緊急用コットから離れて側面方向に伸長し、前記側面方向伸長部がフック及びストレッチャーエッジホルダーの間にスクープストレッチャーを解放自在に保持するように構成されるフック及びストレッチャーエッジホルダーを提供する、請求項１から４のいずれか１項に記載の前記付属品クランプ。
【請求項１１】
前記クランプが、前記クランプが少なくとも２つの配向の位置の間で移動できるように前記クランプの周りで移動できるサイドパネルに結合するように構成される、請求項１から４のいずれか１項に記載の前記付属品クランプ。
【請求項１２】
前記サイドパネルが、前記クランプに直接的に結合する拡大基部パネルに結合される、請求項１１に記載の前記付属品クランプ。
【請求項１３】
前記クランプが、緊急用コットの取外し可能サイドアームに結合するように構成され、
前記クランプが第１のクランプ及び第２のクランプを備える組で提供され、前記クランプが距離を開けて離間され、ストラットを介して互いに結合され、
前記ストラットが、実質的に固定される離間配置で前記クランプを保持し、
前記クランプのそれぞれが、それぞれ第１のサポートジョイント及び第２のサポートジョイントを介して前記第１のクランプ及び前記第２のクランプにそれぞれ結合される第１のサポート及び第２のサポートを介して前記取外し可能サイドアームに結合され、前記サポートジョイントが、前記取外し可能サイドアームが前記クランプに対して移動できるように前記サポートの移動を可能にする、
請求項１から４のいずれか１項に記載の前記付属品クランプ。
【請求項１４】
構造部材の一部分を受け入れ、係合するための付属品クランプであって、
前記構造部材の前記一部分、底部フック部分、及びネジクランプ部分を受け入れ、係合するように構成された受入れ領域をその中に有する本体と、
枢支点で前記本体に枢着されるハンドルと、
を備え、
前記構造部材が底部リップ及び上部リップを提供し、
前記底部フック部分が前記底部リップに係合し、
前記ネジクランプ部分が、クランプ、及び前記クランプを持ち上げて前記サイドフレームレールの前記上部リップの下で係合する前記ネジクランプ部分を通して伸長するネジを備え、
前記受入れ領域において、前記本体が、前記構造部材の前記一部分を受け入れ、係合するようにそれぞれ構成される受入れ面及び側面を備え、
前記構造部材が緊急用コット、緊急用車両、壁構造、緊急用担架、付属品バー、棚材料、またはラックの少なくとも一部を備える、
付属品クランプ。
【請求項１５】
部材の一部分を受け入れ、係合するための付属品クランプの使用方法であって、
本体と、
枢支点で前記本体に枢着するハンドルと、
前記枢支点から遠位である遠位部分を備える前記ハンドルであって、前記遠位部分が遠位内側部分から外向きに延在するカム表面を備える前記遠位内側部分を含む、前記ハンドルと、
を備える、部材の前記一部分を受け入れ、係合するための付属品クランプを提供することと、
前記ハンドルがロック位置の中に下方に回転されるとき、前記本体及び前記ハンドルが、部材の前記一部分を受け入れ、係合するように構成される受入れ領域をその中に形成し、
前記受入れ領域において、前記本体が、それぞれ前記部材の前記一部分を受け入れ、係合するように構成された受入れ表面及び側面を備え、
前記ロック位置の中に前記ハンドルを下方に回転させることによって前記部材の前記一部分に係合すること、
を含む方法。
【発明の詳細な説明】
【技術分野】
【０００１】
（関連出願の相互参照）
本願は、特許法（３５  Ｕ.Ｓ.Ｃ.）第１１９条（ｅ）の下で、参照することによりその全体として本明細書に組み込まれる、２０１４年１月１３日に出願された米国仮特許出願第６１／９２６８５６号に対する優先権を主張する。
【０００２】
本願は、概して緊急用コットのための付属品クランプ、及びその使用法に関する。
【背景技術】
【０００３】
技術では、緊急用コット、緊急用車両、及び関連した緊急用設備のためのさまざまな使用法を有するクランプの実施形態に対する長年に亘る必要性がある。本明細書に開示されるのは、係る必要性を満たす実施形態である。本明細書に提供される実施形態は、特にさまざまな部材部分に固定してまたは取外し自在に取り付けるためのクランプの使用法に関係する問題及び解決策に対応している。
【０００４】
例えば、本明細書に説明される実施形態は、本体と、枢支点で本体に枢着されたハンドルであって、枢支点から遠位である遠位部分を含み、遠位部分が遠位内側部分から外向きに延在するカム表面を含んだ遠位内側部分を含むハンドルとを含む、部材の一部分を受け入れ、係合するための付属品クランプを開示しており、ハンドルがロック位置の中に下方に回転されると、本体及びハンドルが部材の一部分を受け入れ、係合するように構成された受入れ領域をその中に形成し、受入れ領域において、本体は、部材の一部分を受け入れ、係合するようにそれぞれ構成される受入れ面及び側面を含む。
【０００５】
他の例では、本明細書に説明される実施形態は、 構造部材の一部分、底部フック部分、及びネジクランプ部分を受け入れ、係合するように構成された受入れ領域をその中に有する本体と、枢支点で本体に枢着されるハンドルを含む、構造部材の一部分を受け入れ、係合する本体用の付属品クランプを開示する。構造部材は、底部リップ部及び上部リップ部を提供し、底部フック部分は底部リップを係合し、ネジクランプ部分は、クランプ、及びクランプを持ち上げてサイドフレームレールの上部リップ部の下で係合するネジクランプ部分を通して伸長するネジを含み、受入れ領域において、本体は、それぞれ構造部材の一部分を受け入れ、係合するように構成される受入れ面及び側面を含む。
【０００６】
上記実施形態のいずれかの構造部材は、緊急用コット、緊急用車両、壁構造物、緊急用担架、付属品バー、棚材料、またはラックの少なくとも一部を含むことがある。
【０００７】
さらに他の例では、本明細書に説明される実施形態は、本体と、枢支点で本体に枢着されるハンドルであって、枢支点から遠位である遠位部分を含み、遠位部分が遠位内側部分から外向きに延在するカム表面を含んだ遠位内側部分を含むハンドルとを含んだ部材の一部分を受け入れ、係合するための付属品クランプを提供することであって、ハンドルがロック位置の中に下方に回転されるとき、本体及びハンドルが部材の一部分を受け入れ、係合するように構成された受入れ領域をその中に形成し、受入れ領域において、本体は、それぞれ部材の一部分を受け入れ、係合するように構成される受入れ面及び側面を含む、提供することと、ロック位置の中にハンドルを下方に回転することによって部材の一部分を係合することとを含んだ、部材の一部分を受け入れ、係合するための付属品クランプを使用する方法を開示する。
【０００８】
本発明に係るこれらの及び他の多様な実施形態のこれらの及び他の特徴及び優位点は、以下に続く、提供されている図面、発明を実施するための形態、及び特許請求の範囲を考慮してより明らかになる。
【０００９】
図中に説明される実施形態は本来実例及び例示のためであり、特許請求の範囲により定められる主題を制限することを意図していない。実例となる実施形態の以下の発明を実施するための形態は、類似する構造が類似する番号で示される以下の図面と併せて読まれるときに理解できる。
【図面の簡単な説明】
【００１０】
【図１】本明細書に開示されている実施形態に係る付属品クランプの等角図である。
【図２】図１の付属品クランプの側面立面図である。
【図３】本明細書に開示される実施形態のいずれかに記載の付属品クランプが付着する緊急用コットを示す図である。
【図３Ａ】図３Ａは、図３の断面Ａ−Ａに沿ってとられる緊急用コットの接写断面図であり、図示及び説明を容易にするために部分が削除された、緊急用コットのサイドフレームレールまたはフレームレールを断面図で示し、本明細書に開示される実施形態のいずれかに記載の付属品クランプが本明細書の実施形態に従って付着してよい、本明細書の実施形態に記載の緊急用コットを示す図である。
【図４】図４は、本明細書の実施形態に係る付属品クランプを含む静脈注射用（ＩＶ）のポールアセンブリを示し、直立垂直位置にあるＩＶポールを示し、折り曲げられた（収容）位置を破線によって示す図である。
【図４Ａ】図４Ａは、図４の断面Ａ−Ａに沿ってとられる静脈注射用（ＩＶ）ポールアセンブリの断面図である。
【図４Ｂ】図４Ｂは、図４の断面Ｂ−Ｂに沿ってとられる静脈注射用（ＩＶ）ポールの接写断面図である。
【図４Ｃ】図４Ｃは、図４Ｂの断面Ｃ−Ｃに沿ってとられる静脈注射用（ＩＶ）ポールの接写断面図である。
【図５】本明細書に開示される実施形態に係る付属品クランプを含むタブレットホルダーアセンブリの等角図である。
【図６】図５のタブレットホルダーアセンブリの部分等角図である。
【図７】本明細書に開示される実施形態に係る付属品クランプを含むガスタンクホルダーアセンブリの等角図である。
【図８】本明細書に開示される実施形態に係るガスタンクホルダーアセンブリの側面立面図である。
【図９】ハンドルアセンブリが第１の位置に置かれる、本明細書に開示される実施形態に係る付属品クランプを含むハンドルアセンブリの等角図である。
【図１０】ハンドルアセンブリが第２の位置に置かれる、図９のハンドルアセンブリの等角図である。
【図１１】ハンドルアセンブリが第３の位置に置かれる、図９のハンドルアセンブリの等角図である。
【図１２】本明細書に開示される実施形態に従ってすべてが緊急用コット上に取り付けられた、図４のＩＶポールアセンブリ、図５のタブレットホルダーアセンブリ、図７のガスタンクホルダーアセンブリ、及び図１１のハンドルアセンブリを有する緊急用コットの等角図である。
【図１３】本明細書に開示される実施形態に係り、緊急用コットにスクープストレッチャーの一部分を取り付けるために使用可能な付属品クランプを含む、側面方向伸長アセンブリの側面立面図である。
【図１４】側面方向伸長アセンブリのストレッチャーホルダーがアンロック位置で示される、本明細書に開示される実施形態に係るスクープストレッチャーの一部分に取り付けられた図１３の側面方向伸長アセンブリの等角図である。
【図１５】ストレッチャーホルダーがロック位置で示される、図１４により示されるスクープストレッチャーの一部分に取り付けられた図１３の側面方向伸長アセンブリの等角図である。
【図１６】図１４の１つまたは複数の側面方向伸長アセンブリを使用し、緊急用コットに取り付けられたスクープストレッチャーの等角図を示し、スクープストレッチャーの半分の間に結合される付属品バーの上でそれに付着し、図４のＩＶポールアセンブリである。
【図１７】図１４の１つまたは複数の側面方向伸長アセンブリを介してスクープストレッチャーをそれに取り付けられて示され、図４のＩＶ千振をスクープストレッチャーに取り付けられて示され、図１６の緊急用コットの側面立面図である。
【図１８】本明細書に開示される実施形態に係る付属品クランプを含むプラットフォームアセンブリの等角図である。
【図１９】緊急用コットのフレームレールに取り付けられた、等角図で部分的に示される、図８のガスタンクホルダーアセンブリだけではなく図１８のプラットフォームアセンブリの等角図である。
【図２０】サイドパネルアセンブリのサイドパネルが第１の垂直（上）位置にある、本明細書に開示される実施形態に係る付属品クランプを含むサイドパネルアセンブリの側面立面図である。
【図２１】サイドパネルアセンブリのサイドパネルが第２の垂直（下）位置にある、図２０のサイドパネルアセンブリの側面立面図である。
【図２２】サイドパネルが第３の傾斜位置にある、図２０のサイドパネルアセンブリの後部等角図である。
【図２３】それぞれが実施形態に係る、すべてが緊急用コットの側面フレームに取り付けられた、図２０によって示される第１のサイドパネルアセンブリ及び第２のサイドパネルアセンブリ、図４のＩＶポールアセンブリ、図５のタンクホルダーアセンブリ、並びに図１８のプラットフォームアセンブリを有する緊急用コットの等角図である。
【図２４】サイドパネルが垂直（上）位置に示される、本明細書の実施形態に係る付属品クランプを含む別のコットのサイドパネルの背面側面等角図である。
【図２５】サイドパネルが水平位置に示される、図２４のコットのサイドパネルの等角図である。
【図２６】サイドパネルが斜め位置に示される、図２４のコットのサイドパネルの等角図である。
【図２７】サイドパネルが別の斜め位置に示される、図２４のコットのサイドパネルの等角図である。
【図２８】サイドパネルが水平位置に示され、破線で示される折り曲げられた位置に位置決め可能である、図２４のコットのサイドパネルアセンブリの側面立面図である。
【図２９】すべてが緊急用コットの側面フレームに取り付けられた、それぞれ図２４によって示される実施形態に係る第１のコットサイドパネル及び第１のコットサイドパネル、図４のＩＶポールアセンブリ、図５のガスタンクホルダーアセンブリ、図１１のハンドルアセンブリ、並びに図１８のプラットフォームアセンブリを有する緊急用コットの等角図である。
【図３０】サイドアームアセンブリが支持位置にある、本明細書の実施形態に係る付属品クランプを含むサイドアームアセンブリの等角図である。
【図３１】サイドアームアセンブリが格納位置にある、図３０のサイドアームアセンブリの等角図である。
【図３２】それぞれ図３０の実施形態に係り、緊急用コットのそれぞれの側面に取り付けられて示される第１のサポートアームアセンブリ及び第２のサポートアームアセンブリの側面立面図である。
【図３３】本明細書の実施形態に係り、図３Ａのサイドフレームレールまたはフレームレールに結合されて示される付属品クランプを含む、ハンドルアセンブリの側面図である。
【図３４】図３３のハンドルアセンブリの平面図である。
【発明を実施するための形態】
【００１１】
本開示のいくつかの実施形態がここで説明される。ただし、本発明は、異なる形式で具現化されてよく、本明細書に説明される実施形態に制限されるとして解釈されるべきではない。むしろ、これらの実施形態は、本開示が綿密且つ完全となるように提供され、実例となる実施形態を提供する。
【００１２】
当業者は、図中の要素が簡略に及び明確にするために示され、必ずしも原寸に比例して描かれていないことを理解する。例えば、図中の要素のいくつかの寸法は本発明の多様な実施形態の理解を改善するために役立つために削除された部分だけではなく、他の要素に対しても誇張されることがある。さらに、特に定めのない限り、本明細書で使用されるすべての技術用語及び科学用語は、本発明の実施形態が属する技術の当業者により一般的に理解されるのと同じ意味を有する。本明細書に使用される専門用語は、特定の実施形態だけを説明するためであり、本発明の制限となることを目的としていない。明細書及び添付の特許請求の範囲に使用されるように、単数形「１つの」、「ある」、及び「前記」は文脈上明らかに他の意味に解釈すべき場合を除いて複数形も含むよう意図されている。
【００１３】
特に示されない限り、本明細書及び特許請求の範囲で使用される量を表すすべての数字は、すべての例で、示されている値の最高で±１０％を意味するように意図される用語「約」で修正されていると理解されるべきである。さらに、明細書及び特許請求の範囲の任意の範囲の開示は、終点だけではなく、範囲自体及びその中に包含されるいかなるものも含むとして解釈されるべきである。特に示されない限り、明細書及び特許請求の範囲で説明される数値的特性は、本発明の実施形態で得られるために求められる所望される特性に応じて変わることがある近似である。本発明の実施形態の幅広い範囲を説明する数値範囲及びパラメータが近似であるにも関わらず、特定の例で説明される数値は可能な限り正確に報告される。ただし、あらゆる数値は本来そのそれぞれの測定値に見られる誤差から必然的に生じる特定の誤差を含んでいる。
【００１４】
図１から図２を参照すると、例えば緊急用コット、緊急用車両、壁構造、緊急用担架、棚材料、ラック等のさまざまな物体に着脱自在に接続する付属品クランプ１の実施形態が示されている。本明細書で使用される緊急用車両は、救急車、ヘリコプター、消防車、軍の救助車両等を含むことがある。付属品クランプ１は、概して、クランプ１が部材に係合し、部材の上に固定するように相応して形作られる部材に接続するように構成される。特定の実施形態では、本明細書に図示され、説明されるように、部材は緊急用コットのフレームレールである。
【００１５】
付属品クランプ１は、概して本体２、及びハンドル４が本体２に対して枢支点を中心として枢動し得る及び／または回転し得るように枢支点６で本体２に枢着されたハンドル４を含む。枢支点６は、ハンドル４が、図２に示される方向矢印Ａにより示される方向で、及び／または方向矢印Ｂに示される反対方向でジョイント内の単軸を中心として枢動できるようにするジョイントまたは心棒であってよい。ハンドル４は、枢支点６から遠位である図２にも示される遠位部分８を含む。示されるように、ハンドル４は概してＵ形であり、遠位部分８はＵ形の底部分を形成する。本体２の外側本体部分７は、外側本体部分７が、それに対して回転できるハンドル４により囲まれるようにＵ形のハンドル４の内部に対して相補的な形状を有する。遠位部分８は、遠位内側部分１０から外向きに延在するカム表面１２を含んでよい遠位内側部分１０を含む。本実施形態では、任意選択のフック（つまり接続ハンドル）１４は、接続ポスト１３によってその外側本体部分７に隣接して本体２に接続され、本体２から伸長し、それによって人員がフック１４から品物をつるすことができるようにする。実例となる品物は、ＩＶ袋、バッグ（例えば、財布、コンピュータバッグ、医療用バッグ等）、コード（例えば、電気コード、通信コード／ファイバ等）、ライト、設備等を含んでよいが、これに限定されるものではない。本明細書で以下に図示され、説明される他の実施形態では、付属品クランプ１はフック１４及び接続ポスト１３を含まないことがある。
【００１６】
ハンドル４が下方位置（例えば「ロックされた」）位置に方向Ａで（つまり、以前に方向Ｂで回転された結果として生じるアンロック位置から）回転されると、本体２及びハンドル４はその中に受入れ領域１６を形成する。受入れ領域１６が、相補的な形状を有する上述されたさまざまな物体の内のいずれか１つの部材の少なくとも一部分を受け入れ、係合するように構成される、及び／または作動することが理解されるべきである。
【００１７】
例えば、図３は、付属品クランプ１がそのサイドフレームレール３５に係合するように構成される緊急用コット３４を示す。図示及び説明を容易にするためにパーツが取り除かれた状態の、図３の断面Ａ−Ａに沿ってとられる緊急用コット３４の断面を示す図３Ａに示されるように、緊急用コット３４のサイドフレームレール３５は、クランプ１の受入れ領域１６に係る相補的な形状を提供する。特に、本体２の内部側によって画定される受入れ領域１６は、外側本体部分７の（図４Ｂによって最もよく示される）内面２４に隣接する受入れ領域１９に隣接する線形側面１８を含む。各表面１８、１９、２４は、（図１３、図１７、図１９、図２３、図２９、及び図３２に示されるだけではなく）例えば図３Ａに示されるサイドフレームレール３５等の係る部材の一部分を受け入れ、係合するように構成される。
【００１８】
図２及び図３Ａに関して、示されている実施形態では、側面１８及び内面２４はそれぞれ線形形状を有し、受入れ表面１９は凹状の湾曲または曲率半径を有する。他の実施形態では、そのようなものがサイドフレームレール３５等の相補的な部材へのしっかりとした付着を可能にする限り、これらの表面１８、１９、２４に対する他の形状が提供されてよい。示されている本実施形態では、受入れ面１９はサイドフレームレール３５の上部４２の湾曲に実質的に一致するように曲げられ、側面１８及び内面２４はサイドフレームレール３５の線形部分３６に実質的に一致するように形作られる。示される実施形態図３Ａに示されるように、サイドフレームレール３５は、クランプ１が部材に係合し、部材の上に固定されるように相応して形作られる部材の一例として緊急用コット３４のフレーム断面４０と一体に設けられる。他の実施形態では、サイドフレームレール３５によって示される対応するまたは相補的な形状が、付属品クランプ１がそれに着脱自在に接続するように、同様に上述のさまざまな物体のいずれかの構造部材に提供されてよいことが理解されるべきである。
【００１９】
図２の示されている実施形態では、ハンドル４が方向Ｂで回転されるとき、クランプ１は、破線で示されているハンドル４によって示される開放位置に置かれる。この開放位置にある間、サイドフレームレール３５が受入れ領域１６内で係合されるように、クランプ１は、サイドフレームレール３５（図３）と接触できる。具体的には、線形側面１８はサイドフレームレール３５の上部リップ４７の下で（隣接して）係合し、受入れ表面１９は上部４２に係合し、内面２４はサイドフレームレール３５の対応する線形部分３６に係合する。いったん定位置につくと、ハンドル４は、カム表面１２がサイドフレームレール３５の下面４４に係合するまで方向Ａ（図２）で回転され、次いでサイドフレームレール３５のリップ４６を通り過ぎてパチンと閉まり閉、サイドフレームレール３５のリップ４６に係合し、サイドフレームレール３５の上にクランプ１をロックし、固定し、及び／または保持し、ハンドル４のこぶ部分２１及び内部表面２２（図２）も、それぞれサイドフレームレール３５の下面４４及び対応する線形部分３６に係合する。
【００２０】
図４Ｂによって最もよく示されるようないくつかの実施形態では、線形側面１８は、図示されるように受入れ表面１９から内向きに及び／または半径方向に内向きに伸長する突起１５に対する端面として設けられてよい。クランプ１が最初にサイドフレームレール３５と接触すると（図３）、突起の線形側面１８はサイドフレームレール３５の上部リップ４７の下部に接触する。このようにして、及び本実施形態では、線形側面１８が上部リップ４７の下でサイドフレームレール３５に係合した状態で、突起１５の（線形側面１８に隣接する）側面１７が上部リップ４７に係合し、次いで受入れ表面１９及び内面２４がそれぞれ上部４２及び対応する線形部分３６に係合する。本実施形態では、いったんクランプ１が上述されたようにサイドフレームレール３５に位置決めされると、ハンドル４は、カム表面１２がサイドフレームレール３５の下面４４に係合するまで方向Ａ（図２）で回転され、次いでサイドフレームレール３５のリップ４６を通り過ぎてパチンと閉り、サイドフレームレール３５のリップ４６に係合し、サイドフレームレール３５の上にクランプ１をロックし、固定し、及び／または保持し、ハンドル４のこぶ部分２１及び内部表面２２もそれぞれサイドフレームレール３５の下面４４及び対応する線形部分３６に係合する。いくつかの実施形態では、受入れ表面１９は、例えばサイドフレームレール３５等、それが係合する部材の形状、外形、または設計に部分的に、実質的に、または完全に一致する及び／または対応するように構成されてよい、及び／または形作られてよい。
【００２１】
図１及び図２を参照し直すと、付属品クランプ１の本体２は、内側本体部分２５、外側本体部分７と内側本体部分２５との間に画定された中央本体部分２６、並びに底部本体部分２７を有する。外側本体部分７、中央本体部分２６、及び底部本体部分２７によって画定される内部表面９（図２）は、それぞれ内面２４、受入れ領域１９、及び側面１８を提供する。内側本体部分２５と中央本体部分２６との間の本体２は、付着空間２８を画定する。付着空間２８は、その中に、例えばＩＶポールアセンブリ３０（図４Ｂ）の接続端部２９、タブレットホルダーアセンブリ５０（図５）の接続端部４９、側面方向伸長アセンブリ２００（図３）の接続端部２０１、プラットフォームアセンブリ（図１８）の接続端部２５１、サイドパネルアセンブリ（図２０）の接続端部２６１、サイドアームアセンブリ（図３０）の接続端部（またはサポートジョイント）２９０または２９２等の接続端部をその中に受け入れるように形作られ、構成される。図１及び図２の示されている実施形態では、接続端部２９、４９、２０１、２５１、２６１、２９０、または２９２が空間を充填するために付着空間２８中に受け入れられていないとき、ブランク３１が付着空間２８に設けられてよい。係る実施形態では、（その中に提供されるいかなる接続端部だけではなく）ブランク３１も、図２に破線で示されるようにブランク３１（または接続端部）に設けられた空洞３８からピン３３が移動されるように、位置Ｂにハンドル４を回転させることによって取り除かれてよい。ハンドル４が位置Ｂに移動されると、ハンドル４の突端部３７が中央本体部分２６に当接し、このことにより枢支点６は（破線で示されるように）外向きにまたは中央本体部分２６から離れて移動し、空洞３８からそれに取り付けられたピン３３を相応して引っ張り、これによってブランク３１（または接続端部）が付着空間２８から取り除かれてよい。位置Ａにハンドル４を移動して戻すことが、本実施形態では本体２の内側のピン３３に取り付けられる（破線で示される）バネ３９の圧力を減らし、それによって枢支点６を中央本体部分２６により近く戻し、本体２の内側から付着空間２８の中にピン３３を伸長する。上述されたような実施形態では、フック１４が（引き抜く、ネジを外す等によって）本体から取外し可能であってよいことが理解されるべきである。さらに他の実施形態では、任意選択であるフック１４は設けられていない。さらに他の実施形態では、フック１４及びブランク３１は取外し可能ではなく、むしろ本体２の一体部材であり、付着空間２８は設けられていない。さらに他の実施形態では、本明細書に開示される接続端部２９、４９、２０１、２５１、２６１、２９０、または２９２のいずれかまたはすべてもピン３３を介して付着空間２８の中で恒久的に接続されてよく、ピン３３は本体２に／中に固定され、容易に取り除かれることを目的としていない。さらに他の実施形態では、ピン３３は本体２に／の中に固定され、移動しないが、接続端部２９、４９、２０１、２５１、２６１、２９０、または２９２のいずれかまたはすべては、図４Ｃに関して後の項で以後に説明される鍵穴形状を与えられてよく、該鍵穴形状は、特定の付着方向でその中に挿入されるときに付着空間２８の中でピン３３を解放自在に係合でき、特定の付着方向の反対方向で取り外されるまでその中に解放自在に保持できる。
【００２２】
ここで図４、図４Ａ，及び図４Ｂを参照すると、類似するパーツは類似する記号で示されるので、図４、図４Ａ、及び図４Ｂに示されるクランプ１の実施形態の、図１及び図２に関して上述された付属品クランプ１の実施形態から変化する態様だけが以後説明される。図４は、ＩＶポール３２に結合された付属品クランプ１を含む静脈注射用（ＩＶ）ポールアセンブリ３０を示す。実例となる実施形態では、ＩＶポール３２は、適切な高さでの１つまたは複数のＩＶ袋／容器の配置のために、１組の高さ調節器４５ａ、４５ｂを介して、調整可能な高さのある３段階の設計を有する。ＩＶ袋フック４８も、ＩＶポール３２の上に１つまたは複数のＩＶ袋／容器を保持するためにＩＶポール３２の遠隔端部に設けられる。ＩＶ袋フック４８は、他のタイプのフックまたは異なる設計の保持付属品が遠隔端部の中に差し込まれ、そこに保持され得るように取外し自在であってよい。ＩＶポール３２は、例えばサイドフレームレール３５（図３）と並行となるように矢印Ｃに示されるようにクランプ１に対して折り曲げられ、このようにして使用されていないときには邪魔にならないところに移動されてよい。ＩＶポール３２は実施形態でクランプ１に恒久的に取り付けられてよいが、示されている実施形態では、ＩＶポール３２は、図４Ａに最もよく示されるように付着空間２８に取外し自在に保持される接続端部２９を介してクランプ１に取外し自在に付着されることが理解されるべきである。
【００２３】
それぞれ図４の断面Ａ−Ａ、Ｂ−Ｂ、及びＣ−Ｃの拡大図を示し、クランプ１が開放位置（つまり、位置Ａではない）に示される図４Ａ、図４Ｂ，及び図４Ｃを参照すると、ＩＶ３２は、ピン３３がＩＶポール３２の接続端部２９に設けられた鍵穴スロット５５（図４Ｃ）に収容されているため、クランプ１に着脱自在に結合される。鍵穴スロット５５の形状のため、ＩＶポールが方向Ｃ（図４）に回転されるとき、接続端部２９はピン３３をその中に保持できる。ＩＶポール３２が、図４の示されている直立位置に位置決めされるとき、ピン３３は鍵穴スロット５５の類似した形状の上部５７に保持され、付着空間２８に対する相補的な形状を有する接続端部２９の底部５９は、さらに直立位置にＩＶポール３２を位置決めし、保持するのに役立つ。クランプ１からＩＶポール３２を取り外すためには、底部５９がもはや相補的な形状を有する付着空間２８の底部に静止しないように、及びピン３３が鍵穴スロット５５の形作られた上部５７の中にもはや収容されず、次いで方向Ｃに反対の方向で回転され、これによりピン３３が鍵穴スロット５５の開口部６１と位置合わせされるように、ＩＶポール３２は垂直方向に持ち上げられる。ピン３３が開口部６１と位置合わせされた状態で、接続端部２９は次いで付着空間２８から持ち上げ、取り除くことができる。さらに他の実施形態では、差込みピン接続、ネジ接続等の技術で既知の他のタイプの結合機構が、付着空間２８の中にＩＶポール３２を取外し自在にロックするために使用できることが理解されるべきである。
【００２４】
本明細書に説明される緊急用コット３４のサイドフレームレール３５等の部材に付属品クランプ１が取り付けられる前、または後に、接続端部２９はクランプ１の付着空間２８から便利に接続できる、または接続されないことが可能であり、それによって付属品のタイプに対する柔軟性だけではなく、サイドフレームレール３５に対して等、部材上のクランプ１の設置に関する柔軟性も提供する、つまり鍵穴スロットを備え、接続端部２９と同様に形作られた接続端部を有して、クランプ１の付着空間２８に挿入し、保持される。複数のタイプの付属品を付属品クランプ１に着脱自在に結合できる付属品クランプ１を有することは、サイドフレームレール３５等の部材に取り付けられる必要のあるクランプの数も削減し、それによって付属品を交換／取り換える必要があるときに、サイドフレームレール３５等、部材に設けられる各クランプ１を移動する時間及び必要性を削減するだけでなく、係る付属品を購入し、交換する際のコストも削減する。
【００２５】
図４Ｂを参照すると、上記項で上述されたカム表面１２とリップ４６との間のスナップ嵌合に加えて、本実施形態では、追加の保持張力が、ハンドル４に設けられたカム溝２３を介して突起１５の側面１７と上部リップ４７との間の係合に提供される。張力アーム４３は、付着空間２８の下方で本体２の中に、及び本体２の底部本体部分２７に設けられる空洞６５の中に摺動自在に収容される。本実施形態の張力アーム４３は、突起１５に側面１７を提供し、カム溝２３に摺動自在に収容される一体カム従動子５８を有する。ハンドル４がアンロック位置Ｂからロック位置Ａに移動するにつれ、カム溝２３の形状がカム従動子５８を方向Ｄで移動させ、張力アーム４３の側面１７を上部リップ４７とのより緊密な／近接した係合に引き込み、それによりクランプ１とサイドフレームレール３５との間の係合に追加の保持張力を提供する。逆にロック位置Ａからアンロック位置Ｂにハンドル４を移動すると、カム溝２３の形状が、方向Ｄに反対の方向にカム従動子５８を移動させ、張力アーム４３の側面１７を上部リップ４７とのより緊密な／近接した係合から引き出し、それによってクランプ１とサイドフレームレール３５との間の係合に対する追加の保持張力を取り除く。
【００２６】
ここで図５から図６を参照すると、携帯用コンピュータタブレット４１（例えば、Ａｐｐｌｅ  ｉＰａｄ（登録商標）、Ｓａｍｓｕｎｇ  Ｇａｌａｘｙ  Ｔａｂ（登録商標）、Ｄｅｌｌ  Ｕｌｔｒａｂｏｏｋ（登録商標）、または任意の他のコンピュータタブレット）用のタブレットホルダーアセンブリ５０が示される。タブレットホルダーアセンブリ５０は、クランプ１、第１のボールジョイント５１を提供する接続端部４９、ボールジョイント５１に移動できるように接続されたロッド５３、第１のボールジョイント５１に反対のロッド５３の端部に接続された第２のボールジョイント５４、及び第２のボールジョイント５４に移動できるように接続されたタブレットホルダー５６を含む。クランプ１は、図１から図４を参照した上記項に上述された実施形態のいずれかに従ってよいので、簡略にするために、それについて追加の説明は行われない。さらに、接続端部４９がどのようにして付着空間２８に保持される（解放自在にまたは固定される）のかは接続端部２９と同じであり、したがって、図１から図４を参照した上記項に上述された実施形態のいずれかに従ってよいので、簡略にするために、それについて追加の説明は提供されない。
【００２７】
示されている実施形態では、第１のボールジョイント及び第２のボールジョイント５１及び５４は、ロッド５３及びタブレットホルダー５６をそれぞれ多軸方向で移動できるようにする。ボールジョイント５１、５４は、任意の数の（従来のまたは未知の）多軸ジョイント及び／またはボールジョイントであってよい。さらに、第１のボールジョイント５１は第１の位置ロック５２ａを含んでもよく、第２のボールジョイント５４は第２の位置ロック５２ｂを含んでもよい。ユーザ―は、ロッド５３が所望される位置及び／または向きになるまでユーザ―が複数の方向でロッド５３を移動できるようにするために第１の位置ロック５２ａをアンロックしてよい。いったん所望される場所及び／または向きになると、ユーザ―は第１の位置ロック５２ａをロックし、このようにして特定の向き及び／または位置にロッドをロックしてよい。同様に、ユーザ―は、タブレットホルダー５６が所望される位置及び／または向きになるまでユーザ―が複数の方向でタブレットホルダー５６を移動できるようにするために第２の位置ロック５２ｂをアンロックしてよい。いったん所望される場所及び／または向きになると、ユーザ―は第２の位置ロック５２ｂをロックし、このようにして特定の向き及び／または位置にタブレットホルダー５６をロックしてよい。本実施形態では、それぞれ第１のボールジョイント及び第２のボールジョイント５１、５４を含んだタブレットホルダーアセンブリ５０が示されているが、接続端部４９とロッド５３との間、及びロッド５３とタブレットホルダー５６との間には、一体接続、固定接続、単軸移動を可能にするジョイント、二軸移動を可能にするジョイント、または多軸移動を可能にする他のジョイントを含むが、これに限定されるものではない他の接続が使用され得ることが理解される。
【００２８】
タブレットホルダー５６は、ホルダー本体６０、ホルダー本体６０から伸長する第１の伸長部６２、第１の伸長部から離間され、ホルダー本体６０から伸長する第２の伸長部６４、第１の伸長部６２の反対側のホルダー本体６０の端部から伸長する第３の伸長部６６、及び第３の伸長部から間隔を空けて置かれ、第２の伸長部の反対側のホルダー本体６０の端部から伸長する第４の伸長部６８を含む。この実例となる実施形態は、タブレットホルダー５６がタブレットを保持するように、タブレットが４つの伸長部の上及び中に位置決めされるとき、タブレット４１との４つの係合点を提供する。タブレットホルダー５６が、ホルダー本体６０から任意の長さ量、ホルダー本体６０からさまざまな角度で伸長してよい１つまたは複数の伸長部を含んでよいことが理解される。また、１つまたは複数の伸長部は、突起またはクリップがタブレットの前面でパチンと閉り、タブレットホルダー５６の上にタブレットを保持するように、伸長部の１つまたは複数の内面から内向きに伸長する突起またはクリップを含んでもよい。一実施形態では、第１の伸長部はホルダー本体６０の１つの端部から伸長し、２つの追加の伸長部が第１の伸長部の反対側のホルダー本体６０の端部から互いに平行に伸長し、３つの係合点を提供する。実施形態のいずれかでは、基部上で互いから対向する１つまたは複数の伸長部は、伸長部が摩擦係合でその間にタブレットを受け入れることができるように間隔を空けて置かれてよい。タブレットホルダー５６にタブレットを接続するために、例えばタブレットの端縁の１つまたは複数が中にはまる溝、ネジ、ボルト、ストラップ、スナップ嵌合接続等、他の従来の、またはまだ開発されていない固締装置または接続装置及び／または方法が使用されてよい。
【００２９】
図７から図８を参照すると、ガスタンク１２０用のガスタンクホルダー組み立て１００が示されている。ガスタンクホルダー組み立て１００は、クランプ１及びガスタンクホルダー本体１０２を含む。クランプ１は、図１から図４を参照した上記項で上述された実施形態のいずれかに従ってよいので、簡略にするために、実施形態間の留意された相違点を除きそれについて追加の説明は行われない。図７及び図８では、クランプ１の本体２はガスタンクホルダー１０２と固定されて一体である。ただし、他の実施形態では、ガスタンクホルダー本体１０２は、図８の破線で示される付着空間２８の中に付着するだろうブランク３１（図２）に類似した一体本体部分を有することによりクランプ１に取外し自在に接続されてよい。ガスタンクホルダー本体１０２が、ブランク３１に類似する係る本体部分を備えるならば付着空間２８にどのように解放自在に保持されるのかは、図１から図２を参照した上記項に上述されるブランク３１と同じであるので、簡略にするため、それについて追加の説明は行われない。ガスタンクホルダー本体１０２は、ガスタンク１２０を保持する、及び／または受け台に載せるように構成されるクレードル部分１０６を含んでよい。ガスタンク１２０は、ホルダー本体１０２及びクレードルを見るのを容易にするために、及び例示の目的のためだけに透明で示される。ホルダー本体１０２は、第１の開口部１０４の中にクランプ１を受け入れるように構成される、ホルダー本体１０２の中に配置される第１の開口部１０４をさらに含んでよい。また、ホルダー本体１０２は、ホルダー本体１０２の中に置かれる第２の開口部１１２も含んでよい。ホルダー本体１０２は、追加の安定性及び重量分散を提供するために、例えばクランプ１に隣接するサイドフレームレール３５の追加部分と係合するガスタンク１２０から離れる方向でホルダー本体１０２の上端から伸長する上部リップ部分１０８を含んでよい。図示されていないが、ホルダー本体１０２及び／またはクレードル部分１０６はクレードル部分１０６及び／またはホルダー本体１０２にタンクを保持する、固定する、及び／または締め付けるためにストラップ、バンド、及び／または他の固締装置を含んでよい。他の実施形態では、クレードル部分１０６は、その湾曲がガスタンク１２０の本体の周りに十分に延在し、それがクレードル部分１０６の中のその位置にガスタンク１２０を固定する及び／または保持するほど湾曲している。
【００３０】
図９から図１１を参照すると、クランプ１及びハンドルを含むハンドルアセンブリ１５０が示されている。クランプ１及びその操作は図１から図８を参照した上記項に上述された実施形態のいずれかに従ってよいので、簡略にするために、実施形態間の留意された相違点を除き、それについて追加の説明は行われない。図９から図１１の図では、クランプ１の本体２の内側本体部分２５及び中間本体部分２６は、上記実施形態の付着空間に比較してより大きく、より深い付着空間２８を提供するために内向きに伸長される。さらに、図示されるように、中間本体部分２６は１組の間隔を空けて置かれ、同一の形状の柱１５１ａ及び１５１ｂ（図１０）を提供し、柱１５１ａ及び１５１ｂは、内側本体部分２５及び柱１５１ａ、１５１ｂの上部が示されている実施形態で同じ高さを有するように上方に伸長する。他の実施形態では、柱１５１ａ、１５１ｂの高さは内側本体部分２５の高さよりも小さくてよい。内側本体部分２５及び中間本体部分２６の柱１５１ａ、１５１ｂはともにジョイント本体１５２を形成する。ハンドル本体１５４は、ジョイント本体１５２に移動できるように接続される、または枢着される。また、ハンドル本体１５４はハンドル本体１５４の一端に、付着空間２８に設けられ、１つまたは複数の軸の周りでジョイント本体１５２の中でまたはジョイント本体１５２に対してハンドル本体１５４を移動または枢動させることができる、ジョイント受け１５３の中に受け入れられるジョイント特徴１５６も含んでよい。本実施形態に示されるように、ハンドル本体１５４は、１つの位置と４つの位置、つまり図９に示される第１の位置、図１０に示される第２の位置、図１１に示される第３の位置、及びハンドル１５４が図１１に示される第３の位置から１８０℃の向きで配置される位置である第４の位置（不図示）との間の中にジョイント本体１５２を基準にして可動である。
【００３１】
付着空間２８及び間隔を空けて置かれた柱１５１ａ、１５１ｂは本体２の中で互いに垂直に１組の溝を画定するので、ジョイント本体１５２がその中に、それぞれ第１の位置、第２の位置、第３の位置、及び第４の位置を画定する、柱１５１ａ、１５１ｂの間に画定された第１の開口１７０（図１０）、付着空間２８の中に／中から鉛直に（つまり、その底部に対して垂直に）伸長する第２の開口１７２（図９）、及び付着空間２８の右側端及び左側端に水平に（つまり、その底部に平行に）伸長する第３の開口及び第４の開口１７４、１７６（それぞれ図１０及び図１１）の内の１つまたは複数を配置すると言うこともできる。したがって、多様な実施形態は、ハンドル本体１５４が間で移動され得る指定数の位置を提供するために、さまざまな数の開口を備えることができる。例えば、いくつかの実施形態では、ハンドル本体１５４は、ジョイント本体１５２がぴったり１つの開口１７０を有する第１の位置に移動可能である。他の実施形態では、ハンドル本体１５４は、ジョイント本体１５２がぴったり２つの開口１７０及び１７２を有する第１の位置及び第２の位置に移動可能である。さらに他の実施形態では、ハンドル本体１５４は、ジョイント本体１５２がぴったり３つの開口１７０、１７２、及び１７４を有する第１の位置、第２の位置、及び第３の位置に移動できる。さらに他の実施形態では、ハンドル本体１５４は、ジョイント本体１５２が示されている実施形態に示されるようにぴったり４つの開口１７０、１７２、１７４、及び１７６を有する、第１の位置、第２の位置、第３の位置、及び第４の位置に移動できる。
【００３２】
ハンドル本体１５４は、ジョイント特徴１５６の反対側であるハンドル本体１５４の端部に位置決めされる把持特徴１６０を含んでよい。把持特徴１６０は、単に他の追加の特徴を有さないハンドル本体１５４自体であることもあれば、把持特徴１６０は例えば、第１のフランジ端部１６２及び第２のフランジ端部１６４等、ユーザ―が把持特徴を把持するのを支援する追加の特徴を含むこともあるだろう。他の実施形態では、把持特徴１６０は、把持特徴１６０を越えて挿入されるスリーブの上に被覆される、またはスリーブの中に製作される弾性材料（例えば、エラストマ材料）をさらに含んでよい。さらに別の実施形態では、把持特徴１６０自体が弾性材料（例えば、エラストメリック）から製作されるだろう。ハンドルアセンブリ１５０のありとあらゆる構成部品が金属、プラスチック、複合材、及び／またはその任意の組合せから製作されてよいことが理解される。
【００３３】
本実施形態では、ハンドル本体１５４は、第１の断面幅（ｗ）（例えば、線形の幅または直径）を有する。また、ハンドル本体１５４は、それが上記に説明された４つの位置の内の１つにあるときに、ハンドル本体１５４を固定位置の中にロックするように構成される、及び／またはロックするよう作動するロック機構１６５（図９）も含む。ロック機構１６５は、その現在の位置からハンドル本体１５４をアンロックし、ユーザ―によってハンドル本体１５４が別の位置、例えば、他の３つの位置の内の１つに、またはその間の任意の位置に移動できるように作動する。ロック機構１６５は、いったん第１の位置、第２の位置、第３の位置、または第４の位置になると、その位置の中にハンドル本体１５４をロックする、固定する、及び／または保持する。
【００３４】
図９から図１１に示される、実施形態では、ロック機構１６５は、ジョイント特徴１５６に隣接するハンドル本体１５４に摺動自在に係合する管１６６（図１０及び図１１）を含む。一例では、管１６６は、管１６６がハンドル本体１５４の少なくとも一部に沿って前後に摺動するように、ハンドル本体の断面幅（ｗ）よりも大きい断面幅を有する内径１６８を含む。一実施形態では、管１６６は、例えばバネ、偏倚力を提供する材料（例えば、バネ鋼、エラストマ、ポリマー等）等の（図１０で破線により示される）偏倚機構１６７によりジョイント特徴１５６、したがってジョイント本体１５２に向かって偏倚する。使用され得るバネの例は、リーフスプリング、板バネ、圧縮バネ、引っ張りバネ、コイルスプリング、トーションスプリング、定荷重バネ、ピストンリング、先細バネ、ワイヤフォームバネ（wire form spring）、ガータースプリング、弾倉発条、片持ちバネ、ベルビルワッシャ、その組合せ、または類似するタイプのばねを含むが、これに限定されるものではない。
【００３５】
図示されている実施形態では、管１６６は、管が４つの開口の内のいずれか１つの中に摺動し、ジョイント本体１５２の一部分に係合し、それぞれの位置にハンドル本体１５４をロックする、固定する及び／または保持するように４つの開口の形状に実質的に一致するまたは対応するように構成される外形を有する。動作中、ユーザ―は開口（例えば、図１０に示される第１の開口１７０）から、及び開口（例えば、図１０に示される第１の開口１７０）の中からハンドル本体１５４に沿って管１６６を摺動し、図９によって示される第１の位置から図１０によって示される第２の位置にハンドルを移動し、次いで管１６６を解放し、第２の開口１７２の周りでジョイント本体１５２に向かって偏倚し、ジョイント本体１５２に係合する管を介して第２の位置の中にハンドル本体１５４をロックする、または図１１に示される第３の位置もしくは第４の位置（第３の位置から１８０度の向きの位置）のどちらかの中にさらにハンドル本体１５４を移動し続けるかのどちらかである。管１６６は、いったんこれらの位置になると解放され、それぞれの開口の周りでジョイント本体１５２に向かって偏倚し、ジョイント本体１５２に係合する管１６６を介してこれらの位置の内の１つの中にハンドル本体１５４をロックしてよい。ハンドル１５４が１つまたは複数の軸の回りで回転及び／または枢動し、次いで例えばボールジョイント、ネジ締めロック等の１つまたは複数の位置にロックできるようにするために、他のジョイント、ロック機構、及び／または方法が含まれてよい、及び／または使用されてよいことが理解される。言い換えると、管１６６が偏倚機構の力に逆らって引っ張って戻されるとき、ハンドル本体１５４は４つの位置の任意の１つに移動してよい。ハンドル本体１５４が４つの位置の内の１つにあるとき、管１６６は、偏倚機構が４つの開口の内の１つに向かって及び開口の中に管１６６を摺動し、それぞれの位置にハンドル本体１５４をロックする、固定する、及び／または保持するように、解放されてよい。
【００３６】
このように上述されたように、多様な実施形態に係る付属品クランプ１は、例えば、少なくともサイドフレームレール３５（図３Ａ）によって提供される、受入れ領域１６（図１）に対する相補的な形状を有する緊急輸送機関の部材に多様な付属品を付着するために使用され得る。このようにして、例えば、図１２に示され、このようにしてこれまで説明されたように、緊急用コット３４は、関連したクランプを介してその上のそれぞれのサイドフレームレール３５に対して、図４のＩＶポールアセンブリ、図５のタブレットホルダーアセンブリ、図７のガスタンクホルダーアセンブリ、及び図１１のハンドルアセンブリを便利に且つ取外し自在に付着している可能性があり、すべてはそれによって開示されている実施形態に従ってその上に取り付けられている。
さらに他の付属品を有するさらに他の実施形態が、以後にさらに説明されるのと類似した方法で設けられ、取り付けられてよいことが理解されるべきである。
【００３７】
図１３から図１７を参照すると、側面方向伸長アセンブリ２００が示されている。側面方向伸長アセンブリ２００は、クランプ１、及び付着空間２８の中でクランプ１に固定して及び／または取外し自在に接続される接続端部２０１を備えた側面方向伸長部２０２を含む。クランプ１は、図１から図４を参照した上記項に上述された実施形態のいずれかに従ってよいので、簡略にするために、それについて追加の説明は行われない。さらに、接続端部２０１がどのようにして付着空間２８に保持される（解放自在に、または固定される）のかは、ブランク３１（図２）または接続端部２９（図４Ａから図４Ｃ）のどちらかと同じであり、したがって図１から図４を参照した上記項に上述された実施形態のいずれかに従ってよいので、それについて追加の説明は行われない。
【００３８】
側面方向伸長部２０２は、接続端部２０１からクランプ１の中間本体部分２６を越えて外向きに側面方向に伸長する。側面方向伸長部２０２は、クランプ１の内側本部本体２５に隣接する伸長部の端部に位置決めされたフック２０４、及びフック２０４の反対側の伸長部の端部のストレッチャーエッジホルダー２０６を含んでよい。この示されている実施形態では、ストレッチャーエッジホルダー２０６は、例えばストレッチャー６７の外側フレーム端縁６３ａ等、構成部品または装置の端縁に係合するように構成されるカム表面２０８を含み、フック２０４はストレッチャー６７の内側フレーム端縁６３ｂに係合する。ストレッチャーエッジホルダー２０６は、レバー２１０が回転されるとき、それがストレッチャーエッジホルダー２０６及び対応するカム表面２０８を回転させ、それによってフック２０４のより近くにまたはフック２０４にさらに相対的にカム表面２０８を移動するように、側面方向伸長部２０２に移動できるように接続される、または枢着され、レバー２１０に接続される。一実施形態では、レバー２１０及びストレッチャーエッジホルダー２０６は、少なくとも２つの位置、つまりフック２０４から最も遠くにカム表面２０８を位置決めする図１４に示されるアンロック位置と、アンロック位置にあるときにフック２０４により近い位置にカム表面２０８を位置決めし、解放自在に固定する図１５に示されるロック位置との間で回転自在である。このようにして、側面方向伸長アセンブリ２００は、フック２０４とカム表面２０８との間にこのようにして設けられ、このようにしてクランプ１を介してコット３４にストレッチャー６３を最終的に及び便利に固締する、クランプ係合を介してストレッチャー６７の外側フレーム端縁及び内側フレーム端縁６３ａ、６３ｂの両方に係合する、保持する、及び／または固定するように構成される。
【００３９】
図１６及び図１７に示される使用法の一例では、第１の側面方向伸長アセンブリ２００ａは緊急用コット３４の第１のサイドフレームレール３５の上に固定され、第２の側面方向伸長アセンブリ２００ｂは、第１の側面方向伸長アセンブリ２００ａから間隔を空けて置かれた、緊急用コット３４の同じサイドフレームレール３５の上に固定される。同じことがコット３４の第２の側面で繰り返され、コット３４において第３の側面方向伸長アセンブリ及び第４の側面方向伸長アセンブリ（ともに、側面方向伸長アセンブリ２００ａ、２００ｂと同一）が、図示される側面に示されるように、互いから間隔を空けて置かれた緊急用コット３４の第２のサイドフレームレール（図示された第１のサイドフレームレール３５と同一）の上に固定される。示される実施形態では、ストレッチャー６７はスクープストレッチャーまたは解体式ストレッチャー（break apart stretcher）であり、ストレッチャー６７のそれぞれのサイドパネル６９、７０は次いでそのそれぞれの組の側面方向伸長アセンブリ２００ａ、２００ｂ上に位置決めされ、及び／または接続されて、図１６及び図１７に示されるコットにストレッチャーを固定する接続点だけではなく、緊急用コットに配置されたときのスクープストレッチャーまたは解体式ストレッチャーに追加のサポートを提供する。
【００４０】
側面方向伸長アセンブリにストレッチャー６７を固定する際、ストレッチャー６７の各サイドパネル６９、７０の内側フレーム端縁６３ｂ（図１４）はそれぞれのフック２０４の中に摺動され、次いでストレッチャー６７の各サイドパネル６９、７０の外側フレーム端縁６３ａは次いでストレッチャーエッジホルダー２０６がアンロック位置にある状態で、それぞれのストレッチャーエッジホルダー２０６の内側で摺動される。いったんストレッチャー６７が少なくとも各それぞれのフック２０４によって係合されると、各それぞれのレバー２１０はロック位置に移動され、それによってそのそれぞれのカム表面２０８を各それぞれのサイドパネル６９、７０のフレームエッジ６３ａの少なくとも一部分に係合させて、緊急用コットの上にスクープストレッチャー６７を保持する、固定する、及び／またはロックする。側面方向伸長アセンブリはフック、ストレッチャーエッジホルダー、及びカム表面を含まないこともあり、したがってコットにより幅広いベッド、プラットフォームを支えるための追加の側面方向サポート、及び／またはより幅広い患者、設備、及び／または等を支えるための表面を提供するために側面方向伸長表面を提供するにすぎないことがあることが理解される。側面方向伸長アセンブリが、コットの上にプラットフォーム、ストレッチャー、担架、及び／または他の設備を係合するために他のタイプのフランジ、フック、及び／または係合機構を含んでよいことも理解される。さらに、図１６の示される実施形態に示されるように、ストレッチャー６７の２枚のサイドパネル６９、７０のそれぞれの接続端部間で接続する付属品バー７２を、コット３４の各端部に設けることができる。付属品バー７２は、サイドフレームレール３５に類似する断面外形だけではなく、サイドパネル６９、７０の従来の接続端部に対する相補的な接続要素も含み、これによりクランプ１はそれに、例えば実施形態に従って示されるように、ＩＶポールアセンブリ３０に取り付けられてよく、それによって本明細書に開示されるような追加の付属品がクランプ１を介して便利に取り付けられてよい二次レールを提供する。さらに、さらに他のクランプが、側面方向伸長アセンブリ２００ａ、２００ｂとともにさらに他の実施形態でコット３４のレール３５に取り付けられて、さらに提供されてよいことが理解されるべきである。例えば、図１７に示されるように、ガスタンクホルダーアセンブリ１００は、アセンブリ２００ａ、２００ｂによってレールの上に残された空間のためにサイドフレームレール３５に取り付けることができる。
【００４１】
図１８から図１９を参照すると、プラットフォーム（テーブル）アセンブリ２５０が示される。プラットフォームアセンブリ２５０は、クランプ１、接続端部２５１を介してクランプ１に固定してまたは取外し自在に接続されたロッド２５２、及びクランプ１の反対側に、ロッド２５２の遠位端部に接続された高くなったプラットフォーム２５４を含む。クランプ１は、図１から図４を参照した上記項に上述される実施形態のいずれかに従ってよいので、簡略にするために、それについての追加の説明は行われない。さらに、接続端部２５１がどのようにして付着空間２８に保持される（解放自在にまたは固定される）のかは、ブランク３１または接続端部２９と同じあり、したがって図１から図４を参照した上記項に上述される実施形態のいずれかに従ってよいので、簡略にするため、それについて追加の説明は行われない。さらに、その一体取付けブラケット部分２５３を介したロッド２５２と接続端部２５１との間の、及びロッド２５２と高くなったプラットフォーム２５４との間の接続は、示されるように固定接続、つまり移動可能ではないこともあれば、又は接続部は可動接続、つまりボールジョイント５１、５４及び調節器５２を介して、図５及び図６のタブレットホルダーアセンブリ５０を参照して上記に上述されたのと同じ方法で単軸ジョイントまたは多軸ジョイントであることもある。クランプ１は、例えば図１９、図２３、及び図２９に示されるように緊急用コット３４のサイドフレームレール３５等の部材に固定及び／または接続されてよい。
【００４２】
図２０から図２３を参照すると、補足のコット基部アセンブリ２６０が示されている。コット基部アセンブリ２６０は、コット３４（図２３）によって提供される患者支持面２５９に、コット３４で肥満患者を輸送するときの例で必要とされる可能性がある追加の／補足的な表面領域を提供する拡大基部パネル２６２を含む。拡大基部パネル２６２は矩形形状であるとして示されているが、半円形、長方形、長円形、楕円形、その組合せ等の他の形状も提供されてよい。また、コット基部アセンブリ２６０は、一体接続端部２６１を介して基部パネル２６２の下側に固定してまたは取外し自在に接続された１つまたは複数のクランプ１を含む。クランプ１は、図１から図４を参照した上述の項に上述される実施形態の内のいずれかに従ってよいので、簡略にするために、それについて追加の説明は行われない。さらに、接続端部２６１がどのようにして付着空間２８に保持される（解放自在にまたは固定される）のかは、ブランク３１または接続端部２９と同じであり、したがって図１から図４を参照した上記項に上述される実施形態のいずれかに従ってよいので、簡略にするために、それについて追加の説明は行われない。
【００４３】
コット基部アセンブリ２６０は、それが基部パネル２６２の周辺側縁２６３の周りで回転するように基部パネル２６２に移動できるように接続されるサイドパネル２６４をさらに含んでよい。図２０に示されるように、サイドパネル２６４は第１の垂直（上）位置（基部パネル２６２に対して約９０度）の中に回転できる。図２１に示されるように、サイドパネル２６４は第２の垂直（下）位置（基部パネル２６２に対して約‐９０度）まで回転できる。図２２に示されるように、サイドパネル２６４は、例えば６０度、４５度、３０度等、傾斜位置（０度と９０度の間のなんらかの角度）まで回転できる。一実施形態では、サイドパネル２６４は、フレーム２６５、及びフレームに接続されたパネル本体２６６を含んでよい。他の実施形態では、サイドパネル２６４は、成形、機械加工、または他の方法を使用し、金属、プラスチック、複合材、もしくはその任意の組合せを含んだ１つまたは複数の材料から製作された一体部品であってよい。また図２２に示されるように、サイドパネルリリースハンドル２６８は、サイドパネルが上記の位置の間で解放され、移行され得るように使用される、サイドパネル２６４の後面に位置する。リリースハンドル２６８の操作方法は、以下後の項に説明される図２４に示されるリリースハンドルと同じである。図２３は、それぞれのクランプ１（図２２）を介して、それぞれ実例となる緊急用コット３４の対向するサイドフレームレール３５ａ及び３５ｂに固定及び／または接続された２つのコット基部アセンブリ２６０ａ及び２６０ｂの例を示す。この例では、コット基部アセンブリ２６０は、既存の緊急用コットに追加の幅を与え及び、対向するサイドパネル２６４にも提供し、及びそれぞれのサイドフレームレール３５ａ、３５ｂの上に残っている十分な空間を与えて、他のクランプ１を介してＩＶポールアセンブリ３０、ガスタンクホルダーアセンブリ１００、及びプラットフォームアセンブリ２５０を取り付ける。他の実施形態では、コット基部アセンブリ２６０は、例えば６０度で固定される等、固定角向きで基部パネル２６２に固定して接続されるサイドパネル２６４を含んでよい。しかも他の実施形態では、コット基部アセンブリ２６０はサイドパネル２６４をまったく含まないことがある。
【００４４】
図２４から図２９を参照すると、コットサイドパネルアセンブリ２７０が示される。コットサイドパネルアセンブリ２７０は、本体２に一体にサイドパネル部分２７２を有するクランプ１を含む。
クランプ１は図１から図４を参照した上記項に上述される実施形態のいずれかに従ってよいので、簡略にするために、それについて追加の説明は行われない。さらに、他の実施形態では、サイドパネル部分２７２は接続端部２６１（図２０）を備えてよいので、このようなものがどのようにして付着空間２８に保持される（解放自在にまたは固定される）のかは、ブランク３１または接続端部２９と同じであり、したがってその係る接続及び操作は図１から図４を参照した上記項に上述される実施形態のいずれかに従ってよく、簡略にするために、それについて追加の説明は行われない。
【００４５】
示されている実施形態では、サイドパネル部分２７２は、サイドフレームレール３５に取り付けられたサイドパネル２６４を取り付けるために１つのクランプ１しか必要とされない点、及びサイドパネル２６４が上記実施形態で上述されるように側縁に対して回転できる点で、基本的に上記実施形態の基部パネル２６２のより小さい変形である。また、サイドパネル２６４には、操作時、サイドパネル部分２７２に設けられる複数のつめ２７７のそれぞれでの係合からサイドパネル２６４を解放するリリースハンドル２６８を含む固定機構２７５も備えられる。また、つめ２７７は、垂直下方位置を除くすべてを上述の位置に提供するためにサイドパネル部分２７２で配列される。ハンドル２６８は、フレーム２６５で内部に収容される、固定機構の１つまたは複数のバネ２７６を介してバネ偏倚され、ハンドル自体が、そのように位置決めされるときにつめ２７７の内の１つで１つまたは複数のバネ２７６からの張力を受けて通常は据え付けられる１本または複数のピン２７８にリンクした、またはリンクしている。このようにして、サイドパネル２６４は、それが少なくとも２つの配向位置、つまり１）図２４に示される（クランプの長手方向軸に合った）垂直上位置、及び２）図２５及び図２８に示されるようにクランプ１の長手方向軸に約９０度である水平位置、及び３）他の実施形態では、破線を介して図２８に示される垂直下位置だけではなく、つめ２７７の相対的な位置決めによって画定されるように図２６、図２７、及び図２８に示されるその間の任意の角位置の間で移動できるようにクランプ１の本体２を越えて移動してよい、またはクランプ１の本体２の上方で枢動してよい。このようにして、例えば、図２９に示されるように、及びこれまでこのようにして説明されてきたように、緊急用コット３４は、その上のそれぞれのサイドフレームレール３５に、関連したクランプ１を介して、図４のＩＶポールアセンブリ３０、図７のガスタンクホルダーアセンブリ１００、図１８のプラットフォームアセンブリ２５０、及び図２４のコットサイドパネルアセンブリ２７０を便利に及び取り外し自在に取り付けている可能性があり、すべてはそれによって開示される実施形態によりその上に取り付けられる。
【００４６】
ここで図３０から図３２を参照すると、サイドアームアセンブリ２８０が示されている。サイドアームアセンブリ２８０は、一体の第１の接続端部及び第２の接続端部２９０、２９２を介して折り畳み式サイドアーム２８８に固定してまたは取外し自在に接続された、間隔を空けて置かれる第１のクランプ及び第２のクランプ１を含む。クランプ１は、図１から図４を参照した上記項に上述される実施形態のいずれかに従ってよいので、簡略にするために、それについて追加の説明は行われない。さらに、接続端部２９０、２９２がそれぞれどのようにして付着空間２８に保持される（解放自在にまたは固定される）のかは、ブランク３１または接続端部２９と同じであり、したがって図１から図４を参照した上記項に上述される実施形態に従ってよいので、簡略にするために、それについて追加の説明は行われない。
【００４７】
示されている実施形態では、クランプ１は、ストラット２８２を使用し互いに接続されてよい。ストラット２８２は、ロッド、長手方向構造部材、または任意のブレーシング型部材であってよい。ストラット２８２は、実質的に固定され、サイドアームアセンブリ２８０になんらかの構造上のサポートを提供する離間配置でクランプを保持してよい。サイドアームアセンブリ２８０は、クランプの１つに接続された第１のサポート２８４、及びそれぞれ第１のサイドアームピボットジョイント及び第２のサイドアームピボットジョイントとして働く、第１の接続端部及び第２の接続端部２９０及び２９２の内のそれぞれの接続端部を介してクランプ１の内の第２の１つに接続された第２のサポート２８６を含んでよい。また、折り畳み式サイドアーム２８８は、それぞれの第３のサイドアームピボットジョイント及び第４のサイドアームピボットジョイント２９４及び２９６を介して接続端部２９０及び２９２の反対側で第１のサポート２８４の端部、及び第２のサポート２８６の端部に移動できるように接続される。４つのジョイントは、それぞれ第１のサポート及び第２のサポート２８４及び２８６が図３１に示されるように矢印Ｅ及び矢印Ｆによって示される両方の方向で回転または枢動できるようにする単軸移動ジョイント、または例えばボールジョイント等、多軸移動ジョイントであってよい。サイドアームアセンブリ２８０は、図３１に示されるように格納位置に移動してよく、アーム２８８は、コット３４のサイドフレームレール３５により近い位置にある。図３０に示されるように、アーム２８８は支持位置に移動され、任意選択でこの支持位置にロックされてよい。図３２は、格納位置にある第１のサイドアームアセンブリ２８０ａ、及び支持位置にある第２のサイドアームアセンブリ２８０ｂを示す。ジョイントの内の１つまたは複数の上に置かれたねじ込みロック、摩擦ロック、ネジ締めロック等が、支持位置にアーム２８８をロックするために使用されてよい。他の実施形態では、アーム２８８は、任意のさまざまな従来のロック機構またはまだ開発されていないロック機構を使用し、１つまたは複数の位置にロックされてよい。
【００４８】
それぞれその端面図及び平面図を示す最後に図３３から図３４を参照すると、図３３のサイドフレームレール３５に結合されたネジクランプアセンブリ２９７が示されている。示されている実施形態では、ネジクランプアセンブリ２９７は、本体２９８、ハンドル２９９、クランプ３０１及びネジクランプ部分３００を通って部分的にまたは完全に伸長できるネジ３０２を含んだネジクランプ部分３００、ならびに底部フック部分３０６が設けられる上記実施形態の簡略化された変形である。ネジクランプアセンブリ２９７は、サイドフレームレールの上部リップ４７の下で係合するために持ち上がるクランプ３０１を介して図３３のサイドフレームレール３５に結合できる。
【００４９】
クランプ１の多様な他の実施形態と同様に、本体２９８は、上部３０３、線形部分３０４、及び底部フック部分３０６の下面３０５を含んだ、サイドフレームレール３５のそれらに対するそれぞれの部分に相補的な形状である受入れ領域１６を提供する。いくつかの実施形態では、ネジクランプアセンブリ２９７は、底部フック部分３０６がサイドフレームレール４６に結合するようにサイドフレームレール３５上に配置することができ、ネジクランプアセンブリ２９７はサイドフレームレール３５にネジクランプ部分３００を結合するために方向Ｇで回転できる。結合の仕組みに関してより詳細には、サイドフレームレール３５の線形部分３６に対する対向壁３１０が内向きに伸長され、対向壁３１０の上部がそこから外に伸長し、ネジクランプアセンブリ２９７のネジクランプ部分３００を結合できる上部リップ４７を提供する。次に、ネジクランプ部分３００のネジ３０２は下方に締めることができ、このようにしてサイドフレームレール３５の上部リップ４７の下で及び上部リップ４７に対してロックするためにクランプ３０１を上方に引っ張る。当然のことであるが、クランプ３０１はサイドフレームレール３５の縁３０７に対して配置されてよく、ネジクランプアセンブリ２９７は、底部フック部分３０６がサイドフレームレール３５のリップ４６に結合するまで方向Ｇと反対に回転し、上述されたようにネジ３０２を介して下方に締め付けられる。
【００５０】
ネジクランプアセンブリ２９７の平面図を示す図３４を参照すると、ハンドル２９９は、基部３０８の中で枢支点３０９の周りで移動し、現在位置から配備位置まで最大で約９０度、方向Ｈで移動することができ、逆の場合も同じに図示されている収容位置に戻すことができる。いくつかの実施形態では、ハンドルは、ネジ、ピン、または技術で既知の他の機構によって定位置でロックでき、解放時、図３４に示される位置に戻すことができる。いくつかの実施形態では、基部３０８は、基部に向かって及び／またはロック位置に向かってハンドルを引っ張る１つまたは複数のバネを有することがある。いくつかの実施形態では、１つまたは複数のバネは基部からハンドルの中に伸長する。いくつかの実施形態では、ハンドル２９９は、枢支点３０９の周りでネジ、釘、ピン、または技術で既知の他の機構によって定位置に部分的にまたは完全に保持される。さらに、いくつかの実施形態では、サイドフレームレール３５は、すべて概して参照記号３２２で示される、例えばその壁構造、緊急用担架、棚材料、またはラック等、緊急用コット３４（図３）及び／または緊急用車両の一部を形成する構造部材３２０と一体であってよい。
【００５１】
本明細書に説明される付属品クランプが、それに便利に取り付けられてよいさまざまな付属品の改善された使用法のため、例えば緊急用コット、緊急用車両、及び関連した緊急用設備によって提供されるさまざまな構造部材または部材部分に固定してまたは取外し自在に付着するように提供されてよいことがここで理解されるべきである。
【００５２】
用語「実質的に」及び「約」は、本明細書で、任意の定量比較、値、測定、及び他の表現に起因してよい固有の不確実性の度合いを表すために活用されてよいことが留意される。また、これらの用語は本明細書で、定量表現が、問題となる主題の基本的な機能に変化を生じさせることなく記載されている基準から変わってよい程度を表すために活用される。
【００５３】
特定の実施形態は本明細書で示され、説明されてきたが、多様な他の変更及び修正が主張されている主題の精神及び範囲から逸脱することなく行われてよいことが理解されるべきである。さらに、主張されている主題の多様な態様が本明細書で説明されてきたが、係る態様は組み合わせて活用される必要はない。したがって、添付の特許請求の範囲は、主張されている主題の範囲内にあるすべての係る変更及び修正をカバーすることが意図される。
【図１】
2017502812.tif 000003
【図２】
2017502812.tif 000004
【図３】
2017502812.tif 000005
【図３Ａ】
2017502812.tif 000006
【図４】
2017502812.tif 000007
【図４Ａ】
2017502812.tif 000008
【図４Ｂ】
2017502812.tif 000009
【図４Ｃ】
2017502812.tif 000010
【図５】
2017502812.tif 000011
【図６】
2017502812.tif 000012
【図７】
2017502812.tif 000013
【図８】
2017502812.tif 000014
【図９】
2017502812.tif 000015
【図１０】
2017502812.tif 000016
【図１１】
2017502812.tif 000017
【図１２】
2017502812.tif 000018
【図１３】
2017502812.tif 000019
【図１４】
2017502812.tif 000020
【図１５】
2017502812.tif 000021
【図１６】
2017502812.tif 000022
【図１７】
2017502812.tif 000023
【図１８】
2017502812.tif 000024
【図１９】
2017502812.tif 000025
【図２０】
2017502812.tif 000026
【図２１】
2017502812.tif 000027
【図２２】
2017502812.tif 000028
【図２３】
2017502812.tif 000029
【図２４】
2017502812.tif 000030
【図２５】
2017502812.tif 000031
【図２６】
2017502812.tif 000032
【図２７】
2017502812.tif 000033
【図２８】
2017502812.tif 000034
【図２９】
2017502812.tif 000035
【図３０】
2017502812.tif 000036
【図３１】
2017502812.tif 000037
【図３２】
2017502812.tif 000038
【図３３】
2017502812.tif 000039
【図３４】
2017502812.tif 000040
【手続補正書】
【提出日】平成28年12月5日(2016.12.5)
【手続補正１】
【補正対象書類名】特許請求の範囲
【補正対象項目名】全文
【補正方法】変更
【補正の内容】
【特許請求の範囲】
【請求項１】
任意選択でフックを提供する本体と、
枢支点で前記本体に枢着されるハンドルと、
前記枢支点から遠位である遠位部分を備える前記ハンドルであって、前記遠位部分が、遠位内側部分から外向きに延在するカム表面を備える前記遠位内側部分を含む、前記ハンドルと、
を備える、構造部材の一部分を受け入れ、係合するための付属品クランプであって、
前記ハンドルがロック位置の中に下方に回転されるとき、前記本体及び前記ハンドルが、前記構造部材の前記一部分を受け入れ、係合するように構成された受入れ領域をその中に形成し、
前記受入れ領域において、前記本体が、それぞれ前記構造部材の前記一部分を受け入れ、係合するように構成される受入れ表面及び側面を備え、
前記構造部材が緊急用コットの少なくとも一部を備え、
前記クランプが、前記緊急用コットの少なくとも１つの取外し可能サイドアームに結合するように構成され、
前記クランプが、第１のクランプ及び第２のクランプを備える組で提供され、前記クランプが距離を開けて離間され、ストラットを介して互いに結合され、
前記ストラットが、実質的に固定される離間配置で前記クランプを保持し、
前記クランプのそれぞれが、それぞれ第１のサポートジョイント及び第２のサポートジョイントを介して前記第１のクランプ及び前記第２のクランプにそれぞれ結合される第１のサポート及び第２のサポートを介して前記取外し可能サイドアームに結合され、前記サポートジョイントが、前記取外し可能サイドアームが前記クランプに対して移動できるように前記サポートの移動を可能にする、
付属品クランプ。
【請求項２】
前記本体が、付属品の接続端部を受け入れるように構成される付着空間を画定し、ハンドルが突端部を提供し、前記クランプが、前記ハンドルが前記付属品の前記接続端部を解
放自在に保持するために前記ロック位置にあるときに前記付着空間の中に伸長し、前記ハンドルが前記付属品の前記接続端部を解放するためにアンロック位置にあるときに前記本体の中に引っ込む、前記ハンドルに結合されたピンをさらに備える、請求項１に記載の前記付属品クランプ。
【請求項３】
前記本体が付属品の接続端部を受け入れるように構成された付着空間を画定し、前記クランプが、前記付着空間を横切って垂直にわたる固定されたピンをさらに備え、前記付属品の前記接続端部が、一方向で前記ピンに係合してそれによって解放自在に保持される鍵穴クランプを提供する、請求項１に記載の前記付属品クランプ。
【請求項４】
ハンドルがカム溝を画定し、前記クランプが、前記側面を提供し、前記ハンドルが下方に回転されるときに、前記側面が張力を受けている前記構造部材の前記一部分に係合するように、前記カム溝に移動できるように収容されるカム従動子を有する張力アームをさらに備える、請求項１に記載の前記付属品クランプ。
【請求項５】
前記付属品がＩＶポール、タブレットホルダー、ガスタンクホルダー、ハンドル、ストレッチャーエッジホルダー、高くなったプラットフォーム、拡大基部パネル、サイドパネル、及び折り畳み式サイドアームを提供する側面方向伸長部から選択される、請求項２または３に記載の前記付属品クランプ。
【請求項６】
前記部材が緊急用コットのサイドフレームレールである、請求項１から４のいずれか１項に記載の前記付属品クランプ。
【請求項７】
前記クランプが、前記クランプが少なくとも２つの配向の位置の間で移動できるように前記クランプの周りで移動できるサイドパネルに結合するように構成される、請求項１から４のいずれか１対記載の前記付属品クランプ。
【請求項８】
前記サイドパネルが、前記クランプに直接的に結合する拡大基部パネルに結合される、請求項７に記載の前記付属品クランプ。
【請求項９】
構造部材の一部分を受け入れ、係合するための付属品クランプの使用方法であって、
本体と、
枢支点で前記本体に枢着するハンドルと、
前記枢支点から遠位である遠位部分を備える前記ハンドルであって、前記遠位部分が遠位内側部分から外向きに延在するカム表面を備える前記遠位内側部分を含む、前記ハンドルと、
を備える、部材の前記一部分を受け入れ、係合するための付属品クランプを提供することと、
前記構造部材が緊急用コットの少なくとも一部を備え、前記クランプが少なくとも前記緊急用コットの取外し可能サイドアームに結合するように構成され、
前記ハンドルがロック位置の中に下方に回転されるとき、前記本体及び前記ハンドルが、部材の前記一部分を受け入れ、係合するように構成される受入れ領域をその中に形成し、
前記受入れ領域において、前記本体が、それぞれ前記構造部材の前記一部分を受け入れ、係合するように構成される受入れ表面及び側面を備え、
前記ロック位置の中に前記ハンドルを下方に回転させることによって前記構造部材の前記一部分に係合すること、
を含む方法。
【手続補正２】
【補正対象書類名】図面
【補正対象項目名】全図
【補正方法】変更
【補正の内容】
【図１】
2017502812.tif 000041
【図２】
2017502812.tif 000042
【図３】
2017502812.tif 000043
【図３Ａ】
2017502812.tif 000044
【図４】
2017502812.tif 000045
【図４Ａ】
2017502812.tif 000046
【図４Ｂ】
2017502812.tif 000047
【図４Ｃ】
2017502812.tif 000048
【図５】
2017502812.tif 000049
【図６】
2017502812.tif 000050
【図７】
2017502812.tif 000051
【図８】
2017502812.tif 000052
【図９】
2017502812.tif 000053
【図１０】
2017502812.tif 000054
【図１１】
2017502812.tif 000055
【図１２】
2017502812.tif 000056
【図１３】
2017502812.tif 000057
【図１４】
2017502812.tif 000058
【図１５】
2017502812.tif 000059
【図１６】
2017502812.tif 000060
【図１７】
2017502812.tif 000061
【図１８】
2017502812.tif 000062
【図１９】
2017502812.tif 000063
【図２０】
2017502812.tif 000064
【図２１】
2017502812.tif 000065
【図２２】
2017502812.tif 000066
【図２３】
2017502812.tif 000067
【図２４】
2017502812.tif 000068
【図２５】
2017502812.tif 000069
【図２６】
2017502812.tif 000070
【図２７】
2017502812.tif 000071
【図２８】
2017502812.tif 000072
【図２９】
2017502812.tif 000073
【図３０】
2017502812.tif 000074
【図３１】
2017502812.tif 000075
【図３２】
2017502812.tif 000076
【図３３】
2017502812.tif 000077
【図３４】
2017502812.tif 000078
【国際調査報告】
2017502812.tif 000079
2017502812.tif 000080
2017502812.tif 000081
2017502812.tif 000082
2017502812.tif 000083
2017502812.tif 000084